(57)【要約】【課題】顕微鏡用加温装置は、発熱用透明板の中央が高温になる傾向があるが、観察の邪魔にならないように温度センサは発熱用透明板の端部に配置されている。このため、発熱用透明板の中央の温度より温度センサの検知温度が低く、この検知情報に基づいて電極への通電が行われるので、中央部分の温度が設定温度より高くなるオーバーシュートを生じてしまうという問題がある。【解決手段】透明なベース板４１の表面に透明導電膜４２が形成され、透明導電膜４２に通電するための一対の電極を有する発熱用透明板３９と、発熱用透明板３９に所定距離離間して積層された保護用透明板４３と、発熱用透明板３９の温度を検知するための温度センサ４９とを有し、発熱用透明板３９は保護用透明板４３と重ならない露出部４７を有し、露出部４７に温度センサ４９を備えている。【選択図】　　　　図２
2004102311.tif 000002
【特許請求の範囲】
【請求項１】
　透明なベース板の表面に透明導電膜が形成され、且つ透明導電膜に通電するための一対の電極を有する発熱用透明板と、前記発熱用透明板に所定距離離間して積層された保護用透明板と、発熱用透明板と保護用透明板の間に充填された絶縁性透明材料と、前記発熱用透明板の温度を検知するための温度センサと、前記発熱用透明板と保護用透明板の外縁部を保持するハウジングとを有する顕微鏡用加温装置において、前記発熱用透明板は前記保護用透明板と重ならない露出部を有し、前記露出部に前記温度センサを備えたことを特徴とする顕微鏡用加温装置。
【請求項２】
　透明なベース板の表面に透明導電膜が形成され、且つ透明導電膜に通電するための一対の電極を有する発熱用透明板と、前記発熱用透明板に所定距離離間して積層された保護用透明板と、発熱用透明板と保護用透明板の間に充填された絶縁性透明材料と、前記発熱用透明板の温度を検知するための温度センサと、前記発熱用透明板と保護用透明板の外縁部を保持するハウジングとを有する顕微鏡用加温装置において、前記温度センサは前記ハウジングに覆われた部分に配置されていることを特徴とする顕微鏡用加温装置。
【請求項３】
　透明なベース板の表面に透明導電膜が形成され、且つ透明導電膜に通電するための一対の電極を有する発熱用透明板と、前記発熱用透明板に所定距離離間して積層された保護用透明板と、発熱用透明板と保護用透明板の間に充填された絶縁性透明材料と、前記発熱用透明板の温度を検知するための温度センサと、前記発熱用透明板と保護用透明板の外縁部を保持するハウジングとを有する顕微鏡用加温装置において、熱伝導性の大きい材料によって構成され、一方の面が前記温度センサに接触し、他方の面が外気に露出する外気温伝達部材を備えたことを特徴とする顕微鏡用加温装置。
【請求項４】
　請求項３に記載した顕微鏡用加温装置において、外気温伝達部材は熱伝導性の高い金属によって構成されていることを特徴とする顕微鏡用加温装置。
【請求項５】
　請求項３に記載した顕微鏡用加温装置において、外気温伝達部材は熱伝導性シリコンによって構成されていることを特徴とする顕微鏡用加温装置。
【請求項６】
　透明なベース板の表面に透明導電膜が形成され、且つ透明導電膜に通電するための一対の電極を有する発熱用透明板と、前記発熱用透明板に所定距離離間して積層された保護用透明板と、発熱用透明板と保護用透明板の間に充填された絶縁性透明材料と、前記発熱用透明板の温度を検知するための温度センサと、前記発熱用透明板と保護用透明板の外縁部を保持するハウジングとを有する顕微鏡用加温装置において、前記発熱用透明板と前記ハウジングとの間に断熱部材を備えたことを特徴とする顕微鏡用加温装置。
【請求項７】
　請求項６に記載した顕微鏡用加温装置において、断熱部材に加えて空気層を発熱用透明板とハウジングとの間に介在させたことを特徴とする顕微鏡用加温装置。
【発明の詳細な説明】
【技術分野】
【０００１】
　本発明は顕微鏡のステージに装着し、透明発熱板に検体を載せて加温する顕微鏡用加温装置に関するものである。
【背景技術】
【０００２】
　動物の人工授精等のように、精子や卵子（検体）を所定温度に保ち、それを顕微鏡で観察しなくてはならない場合がある。この要求を満たすための装置として、顕微鏡用加温装置がある。この種の装置の出願には、特許文献１、２等がある。
　この種の装置は、基本的には発熱用透明板、この発熱用透明板の表面に蒸着法等によって形成された透明導電膜、この透明導電膜に通電するための電極、さらに発熱用透明板に所定距離離間して積層される保護用透明板、この発熱用透明板と保護用透明板との間に充填されるシリコン等の絶縁性透明材料、発熱用透明板と保護用透明板との間に配置される温度センサ、発熱用透明板と保護用透明板の外縁部を保持するハウジングからなる。
【０００３】
　そして、この顕微鏡用加温装置を顕微鏡のステージに装着し、スライドガラス等に載せた検体を保護用透明板上に置き、透明導電膜に通電することによって発熱させ、これにより検体を加温する。さらに、温度センサによって温度を検知し、この検知温度に基いて透明導電膜への通電を調節して温度調節を行う。
　なお、この種の装置は、顕微鏡の種類（倒立顕微鏡、正立顕微鏡、実体顕微鏡）や顕微鏡のステージの構造（形状）によって、色々なタイプのものがある。
【０００４】
【特許文献１】特許第２８３５４２２号公報
【特許文献２】実用新案登録第３０１６８９４号公報
【発明の開示】
【発明が解決しようとする課題】
【０００５】
　上記した顕微鏡用加温装置は、どのようなタイプのものであっても検体を所定温度に常に保つことが要求され、それがこの種の装置の性能を決定することになる。
　この種の顕微鏡用加温装置は、発熱用透明板の中央が高温になる傾向があるが、観察の邪魔にならないように温度センサは発熱用透明板の端部に配置されている。このため、発熱用透明板の中央の温度より温度センサの検知温度が低く、この検知情報に基づいて電極への通電が行われるので、中央部分の温度が設定温度より高くなるオーバーシュートを生じてしまうという問題がある。
　その他、色々な原因によって、正確な温度調整を行うことができないという問題がある。
【０００６】
　本発明は上記した従来の問題点に鑑みて為されたものであり、検体を載せる発熱用透明板または保護用透明板が常に所望の温度に保たれる顕微鏡用加温装置を提供することを目的とする。
【課題を解決するための手段】
【０００７】
　この目的を達成するために、請求項１の発明は、透明なベース板の表面に透明導電膜が形成され、且つ透明導電膜に通電するための一対の電極を有する発熱用透明板と、前記発熱用透明板に所定距離離間して積層された保護用透明板と、発熱用透明板と保護用透明板の間に充填された絶縁性透明材料と、前記発熱用透明板の温度を検知するための温度センサと、前記発熱用透明板と保護用透明板の外縁部を保持するハウジングとを有する顕微鏡用加温装置において、前記発熱用透明板は前記保護用透明板と重ならない露出部を有し、前記露出部に前記温度センサを備えたことを特徴とする顕微鏡用加温装置である。
【０００８】
　請求項２の発明は、透明なベース板の表面に透明導電膜が形成され、且つ透明導電膜に通電するための一対の電極を有する発熱用透明板と、前記発熱用透明板に所定距離離間して積層された保護用透明板と、発熱用透明板と保護用透明板の間に充填された絶縁性透明材料と、前記発熱用透明板の温度を検知するための温度センサと、前記発熱用透明板と保護用透明板の外縁部を保持するハウジングとを有する顕微鏡用加温装置において、前記温度センサは前記ハウジングに覆われた部分に配置されていることを特徴とする顕微鏡用加温装置である。
【０００９】
　請求項３の発明は、透明なベース板の表面に透明導電膜が形成され、且つ透明導電膜に通電するための一対の電極を有する発熱用透明板と、前記発熱用透明板に所定距離離間して積層された保護用透明板と、発熱用透明板と保護用透明板の間に充填された絶縁性透明材料と、前記発熱用透明板の温度を検知するための温度センサと、前記発熱用透明板と保護用透明板の外縁部を保持するハウジングとを有する顕微鏡用加温装置において、熱伝導性の大きい材料によって構成され、一方の面が前記温度センサに接触し、他方の面が外気に露出する外気温伝達部材を備えたことを特徴とする顕微鏡用加温装置である。
【００１０】
　請求項４の発明は、請求項３に記載した顕微鏡用加温装置において、外気温伝達部材は熱伝導性の高い金属によって構成されていることを特徴とする顕微鏡用加温装置である。
【００１１】
　請求項５の発明は、請求項３に記載した顕微鏡用加温装置において、外気温伝達部材は熱伝導性シリコンによって構成されていることを特徴とする顕微鏡用加温装置である。
【００１２】
　請求項６の発明は、透明なベース板の表面に透明導電膜が形成され、且つ透明導電膜に通電するための一対の電極を有する発熱用透明板と、前記発熱用透明板に所定距離離間して積層された保護用透明板と、発熱用透明板と保護用透明板の間に充填された絶縁性透明材料と、前記発熱用透明板の温度を検知するための温度センサと、前記発熱用透明板と保護用透明板の外縁部を保持するハウジングとを有する顕微鏡用加温装置において、前記発熱用透明板と前記ハウジングとの間に断熱部材を備えたことを特徴とする顕微鏡用加温装置である。
【００１３】
　請求項７の発明は、請求項６に記載した顕微鏡用加温装置において、断熱部材に加えて空気層を発熱用透明板とハウジングとの間に介在させたことを特徴とする顕微鏡用加温装置である。
【発明の効果】
【００１４】
　以上のように、請求項１の発明によれば、温度センサは絶縁性透明材料が充填されていない露出部を備えたので、透明導電膜の温度を正確に検知することができるようになる。
【００１５】
　請求項２の発明によれば、温度センサがハウジングによって覆われた部分に配置されているので、保護用透明板に設置されるシャーレ等によって温度センサ近傍の熱が奪われることがなく、正確な温度検知ができる。
【００１６】
　請求項３から請求項５の発明によれば、外気温伝達部材を介して外気温の変化が温度センサへ伝えられる。従って、温度センサは外気温に応じた温度を検知することになり、この検知情報に基づいて透明導電膜に通電され、外気温に応じた温度調節ができる。
【００１７】
　請求項６の発明によれば、断熱部材が設けられているので、発熱用透明板からハウジングへ熱が伝わって熱が奪われてしまうのを防止でき、迅速な温度上昇が可能となる。
【００１８】
　請求項７の発明によれば、断熱部材及び空気層が設けられているので、発熱用透明板からハウジングへ熱が伝わって熱が奪われてしまうのを防止でき、迅速な温度上昇が可能となる。
【発明を実施するための最良の形態】
【００１９】
　図１から図３によって請求項１、２に対応する第１の実施の形態に係る顕微鏡用加温装置４０について説明する。
　符号３９は発熱用透明板を示し、この発熱用透明板３９は四角形の透明ガラス板からなるベース板４１、その表面に形成された透明導電膜４２及びこの透明導電膜４２に通電するための電極（図示せず）によって構成されている。発熱用透明板３９の表面側には四角形の透明ガラス板からなる保護用透明板４３が所定距離離間して積層されている。そして、発熱用透明板３９と保護用透明板４３との間には絶縁性透明材料としてのシリコン４５が充填され、そして発熱用透明板３９と保護用透明板４３は、固定用シリコンによってハウジング４６に固定され、その外縁部がハウジング４６に保持されている。
【００２０】
　発熱用透明板３９は保護用透明板４３より長さ寸法が大きく、積層した状態で発熱用透明板３９には保護用透明板４３に重ならない露出部４７が形成される。この露出部４７にはシリコン４５が充填されておらず、透明導電膜４２が露出している。露出部４７上には温度センサ４９が両面テープ５１を介して配置されている。両面テープ５１は温度センサ４９を固定し、且つ透明導電膜４２と電気的に絶縁するためのものである。温度センサ４９の上面には発泡スチロールの小片からなる断熱部材４４が貼り付けられている。また、温度センサ４９はハウジング４６によって覆われた位置に備えられている。
【００２１】
　この顕微鏡用加温装置４０は、顕微鏡のステージに装着し、保護用透明板４３上に検体を載せたスライドガラス等を置く。そして、動力線及び透明導電膜４２上に設けられた電極を介して透明導電膜４２に通電して発熱させ、保護用透明板４３を介して検体を加熱し、検体を所望の温度に保って観察を行う。
　顕微鏡用加温装置４０では、温度センサ４９によって温度を検知し、この信号線を介して検知情報をコントローラへ送り、送られた検知情報に基づいて電極への通電を調節して温度コントロールを行う。
【００２２】
　この際、温度センサ４９はシリコン４５が充填されていない露出部４７上に配置され、しかも断熱部材４４が貼られているので、透明導電膜４２の温度を正確に検知することができる。即ち、温度センサがシリコン４５を充填した部分に配置されている従来の顕微鏡用加温装置では、透明導電膜の熱がシリコンに奪われてしまい温度センサにストレートに伝導されないので、透明導電膜の温度が所定温度に達しているにも拘わらず温度センサが所定温度に達していないと検知してしまう。そこで、第１の実施の形態に係る顕微鏡用加温装置４０では、温度センサ４９を上記のように露出部４７に配置して、シリコンへ熱が伝導しないようにし、しかも断熱部材４４を備えて、熱が逃げにくいようにして透明導電膜４２の温度を正確に検知できるようにした。
【００２３】
　また、この顕微鏡用加温装置４０は、温度センサ４９がハウジング４６によって覆われた部分に配置されているので、例えばシャーレ５３が温度センサ４９近傍の熱を奪い、正確な温度検知ができなくなるのを防止できる。即ち、従来の顕微鏡用加温装置では、温度センサが保護用透明板に覆われる位置に備えられているので、例えばシャーレを保護用透明板に載せ、これがちょうど温度センサの上側に位置すると、保護用基板を介してシャーレに熱が伝導して温度センサが配置された部分の温度が下がってしまう。透明導電膜は極薄い膜なので、蓄積している熱量は極めて小さく、シャーレに熱が伝導すると短時間でその部分の温度が急激に低下し、この温度が低下した部分の温度検知に基づいて電極に通電すると透明導電膜の中央部分の温度が設定温度より高くなるオーバーシュートを生じてしまう。この顕微鏡用加温装置４０はシャーレ５３を保護用透明板のどの部分に載せても、温度センサ４９がハウジング４６によって覆われているので、上記のようなことは発生せず、オーバーシュートを確実に防止することができる。
【００２４】
　図４によって第２の実施の形態に係る顕微鏡用加温装置５３について説明する。
　符号５５はプラスチック製のハウジングを示し、このハウジング５５は変則的な八角形で浅い凹部５８を有する箱状をしており、凹部５８の底に丸穴５７が形成されている。ハウジング５５には発熱用透明板５９、電気的絶縁材料によって構成される絶縁シート６１、熱伝導部材としてのアルミニウム板６３、絶縁シート６１と同じ構成の絶縁シート６５、透明ガラスによって構成される保護用透明板６７がこの順で収容され、外縁部がハウジング５５に保持されている。これらはいずれもハウジング５５の凹部５８にほぼぴったり収容されるように変則的な八角形で、ハウジング５５の丸穴５７に対応して絶縁シート６１，６５には丸穴６２，６６が、アルミニウム板６３には丸穴６４がそれぞれ形成されている。
【００２５】
　発熱用透明板５９は透明ガラス板からなるベース板６９、このベース板６９の表面に形成された透明導電膜７１、この透明導電膜７１に通電するための一対の電極７３，７３によって構成されている。電極７３，７３にはハウジング５５に取り付けられた電気コード７５に収容される動力線に接続され、図示しない温度センサの検知情報に基づいて動力線、電極７３，７３を介して透明導電膜７１に通電される。
　顕微鏡用加温装置５３を顕微鏡のステージに装着し、保護用透明板６７に検体を載せハウジング５５の丸穴５７に対応するように位置させて、検体の観察を行う。
【００２６】
　この顕微鏡用加温装置５３では透明導電膜７１が発熱すると、その熱がアルミニウム板６３に伝導して蓄積され、また保護用透明板６７全体へ熱が伝えられる。従って、保護用透明板６７の温度が一定に保たれると共に温度分布が均一になり、確実に所定温度に加温された検体を観察できる。
　なお、顕微鏡用加温装置５３では熱伝導部材としてアルミニウム板を用いているが、本発明はこれに限定されず、熱伝導部材を銅、銀等の板、熱伝導率の高いプラスチック製の板、熱伝導性のシリコン（信越化学工業株式会社製の商品型番ＫＥ３４−９３またはＫＥ４５６０）等によって構成してもよい。
【００２７】
　図５に第３の実施の形態に係る顕微鏡用加温装置７７を示す。
　符号７９はプラスチック製のハウジングを示し、浅い円形の凹部８０を有するほぼ円板状に形成されており、凹部８０には穴８１が形成されている。
　ハウジング７９には、発熱板としての発熱用透明板８３、電気的絶縁性材料によって構成される絶縁性部材としての絶縁スペーサ８５、保護板としてのアルミニウム板８７が、この順で収容され固定用シリコンによって固定され、その外縁部がハウジング７９に保持されている。絶縁スペーサ８５の中央には、ほぼ正方形の穴８６が、アルミニウム板８７の中央には円形の穴８８が形成されている。また、アルミニウム板８７の表面はアルマイト加工されている。
【００２８】
　発熱用透明板８３は、円板状の透明ガラス板によって構成され中心にほぼ正方形の穴を有するベース板８９、このベース板８９の表面に形成された透明導電膜９１、この透明導電膜９１に通電するための一対の電極９３，９３によって構成されている。電極９３，９３にはハウジング７９に取り付けられた電気コード９５に収容される動力線に接続され、図示しない温度センサの検知情報に基づいて動力線、電極９３，９３を介して透明導電膜９１に通電される。
　顕微鏡用加温装置７７を顕微鏡のステージに装着し、検体をステージ上で、且つアルミニウム板８７の丸穴８８内の領域に置いて、検体の観察を行う。
【００２９】
　この顕微鏡用加温装置７７では透明導電膜９１が発熱すると、その熱がアルミニウム板８７に伝導して蓄積され、また保護用透明板７７全体へ熱が伝えられる。従って、保護用透明板７７の温度が一定に保たれると共に温度分布が均一になり、丸穴８８内の領域に置かれた検体を確実に所定温度に加温できる。
　なお、顕微鏡用加温装置７７では発熱用透明板８３を用いているが、穴８８内に検体を配置して観察するので、発熱板は透明なものでなくてもよい。また、保護板はアルミニウムに限らず、熱伝導性が高い材料であれば、銅、銀等の金属、その他プラスチックによって構成してもよい。
【００３０】
　図６、図７によって請求項３から請求項５に対応する第４の実施の形態に係る顕微鏡用加温装置９５について説明する。
　符号９７はプラスチック製のハウジングを示し、このハウジング９７は四角形の枠状に形成されている。このハウジング９７の穴９９の内側へ向かって突出する支持部１０１が形成されている。ハウジング９７には動力線及び温度センサの信号線が収容されている電気コード１０３が取り付けられている。
【００３１】
　符号１０５は発熱用透明板を示し、この発熱用透明板１０５は四角形の透明ガラス板からなるベース板１０７、その表面に形成された透明導電膜１０９及びこの透明導電膜１０９に通電するための一対の電極１１１，１１１によって構成されている。
　発熱用透明板１０５の表面には温度センサ１０６が両面テープ１０８を介して貼り付けられ配置されている。発熱用透明板１０５の表面側には四角形の透明ガラス板からなる保護用透明板１１３が、四角形の枠状をした紙製のマスク１１２を介して所定距離離間して積層されている。そして、発熱用透明板１０５と保護用透明板１１３との間には絶縁性透明材料としてのシリコン４５が充填され、そして発熱用透明板１０５と保護用透明板１１３は、固定用シリコンによってハウジング９７に固定され、その外縁部がハウジング９７に保持されている。
【００３２】
　保護用透明板１１３には丸穴１１５が形成され、この丸穴１１５は温度センサ１０６に対向する位置に設けられている。符号１１７は外気温伝達部材としてのアルミニウム円板を示し、このアルミニウム円板１１７は丸穴１１５に、はまり込む大きさになっている。図７に示すようにアルミニウム円板１１７はシリコン１１６によって丸穴１１５に固定されている。アルミニウム円板１１７の下面が温度センサ１０６に接触し、上面が外気に露出している。
【００３３】
　電極１１１，１１１にはハウジング９７に取り付けられた電気コード１０３に収容される動力線に接続され、温度センサ１０６の検知情報に基づいて動力線、電極１１１，１１１を介して透明導電膜１０９に通電される。
　この顕微鏡用加温装置９５は、アルミニウム円板１１７を介して外気温の変化が温度センサ１０６へ伝えられる。従って、温度センサ１０６は外気温に応じた温度を検知することになり、この検知情報に基づいて透明導電膜１０９に通電され、外気温に応じた温度調節ができる。
　顕微鏡加温装置９５では、外気温伝達部材としてアルミニウム円板を用いているが、本発明はこれに限定されず、外気温伝達部材を熱伝導性の大きい銅、銀等の金属、あるいは熱伝導性シリコン等を用いてもよい。熱伝導性のシリコンを用いれば、塑性があるので温度センサ１０６に容易に密着させることができる。
【００３４】
　図８、図９によって請求項６に対応する第５の実施の形態に係る顕微鏡用加温装置１１９について説明する。
　符号１２０はプラスチック製のハウジングを示し、このハウジング１２０は円形の浅い凹部を有するほぼ円板状をしており、中央に大きな丸穴１２３が形成されている。発熱用透明板１２５は円板状のガラス板からなるベース板１２７、このベース板１２７の表面に形成され透明導電膜１２９及び導電膜１２９に通電するための一対の電極１３１，１３１によって構成されている。発熱用透明板１２５の下面には、発泡スチロール製でリング状の断熱部材１３３が貼られている。発熱用透明板１２５には円板状のガラス板からなる保護用透明板１３５が所定距離離間して積層され、発熱用透明板１２５と保護用透明板１３５との間にはシリコンが充填され、また図示しない温度センサが配置されている。
【００３５】
　発熱用透明板１２５と保護用透明板１３５はハウジング１２０の凹部１２１に収容され、シリコンによって固定され、その外縁部がハウジング１２０に保持されている。図９に示すように断熱部材１３３は凹部１２１の底に接触している。
　ハウジング１２０には動力線及び温度センサの信号線が収容されている電気コード１３７が取り付けられている。電極１３１，１３１には電気コード１３７に収容される動力線に接続され、温度センサは信号線に接続されており、温度センサの検知情報に基づいて動力線、電極１３１，１３１を介して透明導電膜１２９に通電される。
【００３６】
　この顕微鏡用加温装置１１９は断熱部材１３３が設けられているので、発熱用透明板１２５からハウジング１２０へ熱が伝わって熱が奪われてしまうのを防止でき、迅速な温度上昇ができるようになる。即ち、発熱用導電膜１２９は極薄い膜なので、蓄積している熱量は極めて小さく、発熱用透明板がハウジングに直接接触していると熱が奪われて温度が上昇しにくくなるが、断熱部材１３３を設けることでこれを防止できる。
　顕微鏡用加温装置１１９では、断熱部材を発泡スチロールによって構成しているが、ウレタン樹脂等他のプラスチックで構成してもよい。さらに断熱部材をセラミック等で構成することも可能である。
【００３７】
　図１０、図１１によって請求項７に対応する第６の実施の形態に係る顕微鏡用加温装置１３９ついて説明する。
　符号１４１はプラスチック製のハウジングを示し、このハウジング１４１は正方形のほぼ枠状で内側へ向かって突出する支持部１４３が形成されている。この支持部１４３の縁には突状部１４５が形成されている。
【００３８】
　符号１４７は発熱用透明板を示し、この発熱用透明板１４７は四角形のガラス板からなるベース板１４９、このベース板１４９の表面に形成された透明導電膜１５１及び透明導電膜１５１に通電するための一対の電極１５３，１５３によって構成されている。発熱用透明板１４７の裏面には、発泡スチロール製で四角形の枠状の断熱部材１５５が貼られている。
　図１１に示すように発熱用透明板１４７にはガラス製の保護用透明板１５７が所定距離離間して積層され、発熱用透明板１４７と保護用透明板１５７との間にはシリコン１５９が充填され、また図示しない温度センサが配置されている。
【００３９】
　発熱用透明板１４７と保護用透明板１５７はハウジング１４１に収容され、発熱用透明板１４７の裏面が突状部１４５に支持されシリコンによって固定されて、その外縁部がハウジング１４１に保持されている。断熱部材１５５の下面と支持部１４３の上面との間には隙間があいており、この隙間が空気層１６１を構成している。
　ハウジング１４１には動力線及び温度センサの信号線が収容されている電気コード１６３が取り付けられている。電極１５３，１５３には電気コード１６３に収容される動力線に接続され、温度センサは信号線に接続されており、温度センサの検知情報に基づいて動力線、電極１５３，１５３を介して透明導電膜１５１に通電される。
【００４０】
　この顕微鏡用加温装置１３９は断熱部材１５５が設けられているので、顕微鏡用加温装置１１９と同様の効果を発揮する。特に、顕微鏡用加温装置１３９は断熱部材１５５とハウジング１４１の支持部１４３との間に空気層１６１が形成されているので、高い断熱効果を得ることができる。
　顕微鏡用加温装置１３９では、断熱部材を発泡スチロールによって構成しているが、ウレタン樹脂等他のプラスチックで構成してもよい。さらに断熱部材をセラミック等で構成することも可能である。
【００４１】
　図１２から図１４の図面によって第７の実施の形態に顕微鏡用加温装置１６５について説明する。
　顕微鏡用加温装置１６５に備えられた電気コード１６７の構成について説明する。
　符号１６９，１６９は一対の信号コードを示し、この信号コード１６９，１６９は信号線１７１が電気的絶縁性の被覆材１７３によって被覆されて構成されている。信号コード１６９，１６９の被覆材１７３，１７３の外周部には細い多数の銅線によって構成される動力線１７５，１７５巻き付けられている。動力線１７５，１７５が巻き付けられた信号コード１６９，１６９は並列に配置され、その状態で外皮１７７によって被覆されている。この外皮１７７は断面がアラビア数字の「８」を横にしたような形状になっている。
【００４２】
　図１４に示すように電気コード１６７は、信号コード１６９，１６９が水平方向へ並ぶ姿勢でハウジング１７９の側面に形成された穴から挿入されており、一対の動力線１７５，１７５は発熱用透明板１８１の透明導電膜に通電するための一対の電極にそれぞれ接続され、また一対の信号線１７１，１７１は透明導電膜上に配置された温度センサに接続されている。発熱用透明板１８１には保護用透明板１８３が所定距離離間して積層され、発熱用透明板１８１と保護用透明板１８３との間には絶縁性透明材料としてのシリコンが充填されている。
【００４３】
　この顕微鏡用加温装置１６５は、温度センサの検知情報が信号線１７１，１７１から図示しないコントローラへ伝達され、この検知情報に基づいて動力線１７５，１７５及び電極から透明導電膜に通電される。そして、スライドガラス１８２上の検体１８４を所定温度に加温した状態で、正立顕微鏡の対物レンズ１８５によって観察する。この観察の際には光源１８６から発せられる光の焦点が検体１８４がある位置で結ばれるようにする必要がある。この顕微鏡用加温装置１６５は、電気コード１６７が上記した構造となっており上記した姿勢でハウジング１７９に取り付けられているので高さ寸法を小さくすることができる。従って、顕微鏡用加温装置１６５は従来の電気コードを使用する場合に比べてかなり薄型にできる。よって光源１８６の焦点距離がかなり短くても、検体１８４の位置に焦点を結ぶことが可能となる。
【００４４】
　なお、電気コード１６７の動力線１７５，１７５を電極に接続する場合は、図１３に示すように信号コード１６９，１６９に巻き付けられている動力線１７５，１７５を外し、撚ってから電極に半田付けする。
【００４５】
　以上、本発明の実施の形態について詳述してきたが、具体的な構成はこの実施の形態に限られるものではなく、本発明の要旨を逸脱しない範囲における設計の変更などがあっても本発明に含まれる。
【産業上の利用可能性】
【００４６】
　本発明の顕微鏡用加温装置を用いれば、検体を所定温度に保ちながら、顕微鏡で観察できる。
【図面の簡単な説明】
【００４７】
【図１】第１の実施の形態に係る顕微鏡用加温装置の平面図である。
【図２】図１のＡ−Ａ断面図である。
【図３】図２の部分拡大図である。
【図４】第２の実施の形態に係る顕微鏡用加温装置の分解斜視図である。
【図５】第３の実施の形態に係る顕微鏡用加温装置の分解斜視図である。
【図６】第４の実施の形態に係る顕微鏡加温装置の分解斜視図である。
【図７】第４の実施の形態に係る顕微鏡加温装置の部分拡大断面図である。
【図８】第５の実施の形態に係る顕微鏡加温装置の分解斜視図である。
【図９】第５の実施の形態に係る顕微鏡加温装置の断面図である。
【図１０】第６の実施の形態に係る顕微鏡加温装置の分解斜視図である。
【図１１】第６の実施の形態に係る顕微鏡加温装置の断面図である。
【図１２】第７の実施の形態に係る顕微鏡用加温装置に搭載される電気コードの内部構造を示す斜視図である。
【図１３】第７の実施の形態に係る顕微鏡用加温装置に搭載される電気コードの動力線を撚った状態の内部構造を示す斜視図である。
【図１４】第７の実施の形態に係る顕微鏡用加温装置の使用状態を説明するための正面図である。
【符号の説明】
【００４８】
４０…顕微鏡用加温装置　４１…ベース板　４３…保護用透明板
４２…透明導電膜　４５…シリコン　４６…ハウジング　４７…露出部
４９…温度センサ
５３…顕微鏡用加温装置　５５…ハウジング　５９…発熱用透明板
６３…アルミニウム板　６７…保護用透明板　６９…ベース板
７１…透明導電膜　７３…電極
７７…顕微鏡用加温装置　７９…ハウジング　８３…発熱用透明板
８７…アルミニウム板　８９…ベース板　９１…透明導電膜
９３…電極
９５…顕微鏡用加温装置　９７…ハウジング　１０５…発熱用透明板
１０６…温度センサ　１０７…ベース板　１０９…透明導電膜
１１１…電極　１１３…保護用透明板　１１６…シリコン
１１７…アルミニウム円板
１１９…顕微鏡用加温装置　１２０…ハウジング　１２５…発熱用透明板
１２７…ベース板　１２９…透明導電膜　１３３…断熱シート
１３５…保護用透明板
１３９…顕微鏡用加温装置　１４１…ハウジング　１４７…発熱用透明板
１４９…ベース板　１５１…透明導電膜　１５３…電極
１５５…断熱部材　１５７…保護用透明板　１５９…シリコン
１６１…空気層
１６５…顕微鏡用加温装置　１６７…電気コード　１６９…信号コード
１７１…信号線　１７３…被覆材　１７５…動力線　１７７…外皮
１７９…ハウジング　１８１…発熱用透明板　１８３…保護用透明板
【図１】
2004102311.tif 000003
【図２】
2004102311.tif 000004
【図３】
2004102311.tif 000005
【図４】
2004102311.tif 000006
【図５】
2004102311.tif 000007
【図６】
2004102311.tif 000008
【図７】
2004102311.tif 000009
【図８】
2004102311.tif 000010
【図９】
2004102311.tif 000011
【図１０】
2004102311.tif 000012
【図１１】
2004102311.tif 000013
【図１２】
2004102311.tif 000014
【図１３】
2004102311.tif 000015
【図１４】
2004102311.tif 000016